(57)【要約】【課題】  小型で低損失な導波管有極フィルタおよび導波管分波器を得る。【解決手段】  導波管フィルタと、上記導波管フィルタの管軸方向の両側に設けられたインピーダンス変成部と、上記インピーダンス変成部のさらに管軸方向外側に設けられた入出力導波管端面と、上記導波管フィルタを構成する導波管の幅広面に隣接して配置され、上記導波管フィルタもしくは上記インピーダンス変成部のいずれかに電磁結合された外部共振器と、を備えたことを特徴とする。【選択図】  図１
2013143734.tif 000002
【特許請求の範囲】
【請求項１】
導波管フィルタと、
上記導波管フィルタの管軸方向の両側に設けられたインピーダンス変成部と、
上記インピーダンス変成部のさらに管軸方向外側に設けられた入出力導波管端面と、
上記導波管フィルタを構成する導波管の幅広面に隣接して配置され、上記導波管フィルタもしくは上記インピーダンス変成部のいずれかに電磁結合された外部共振器と、
を備えたことを特徴とする導波管有極フィルタ。
【請求項２】
上記導波管フィルタを構成する導波管の幅広面方向の高さが、上記入出力導波管端面の上記幅広面方向の高さより低いことを特徴とする請求項１に記載の導波管有極フィルタ。
【請求項３】
上記導波管フィルタを構成する導波管の側面方向に対して対称な形状であることを特徴とする請求項１または請求項２に記載の導波管有極フィルタ。
【請求項４】
上記外部共振器が２個以上設けられたことを特徴とする請求項１から請求項３のいずれかに記載の導波管有極フィルタ。
【請求項５】
上記外部共振器は管軸方向の場所によって幅広面方向の高さが異なるステップ状に形成され、上記幅広面方向の高さが大きい部分が上記導波管フィルタの幅広面に隣接して配置され、上記幅広面方向の高さが小さい部分が上記インピーダンス変成部の幅広面に隣接して配置されるようにしたことを特徴とする請求項１から請求項４のいずれかに記載の導波管有極フィルタ。
【請求項６】
上記導波管フィルタは互いに幅広面方向の高さが異なる複数の共振器で構成されていることを特徴とする請求項１から請求項５のいずれかに記載の導波管有極フィルタ。
【請求項７】
上記導波管フィルタを構成する共振器の少なくとも１つは、管軸方向の場所によって幅広面方向の高さが異なるステップ状に形成されていることを特徴とする請求項１から請求項６のいずれかに記載の導波管有極フィルタ。
【請求項８】
第１の入出力導波管端面と、
上記第１の入出力導波管端面に接続した第１のインピーダンス変成部と、
上記第１のインピーダンス変成部の上記第１の入出力導波管端面とは反対側に接続した第１の導波管フィルタと、
上記第１の導波管フィルタの上記第１のインピーダンス変成部とは反対側に接続した分岐部と、
上記分岐部の上記第１の導波管フィルタとは反対側に接続した第２の導波管フィルタと、
上記第２の導波管フィルタの上記分岐部とは反対側に接続した第２のインピーダンス変成部と、
上記第２のインピーダンス変成部の上記第２の導波管フィルタとは反対側に接続した第２の入出力導波管端面と、
上記分岐部に接続した入出力端面と、
上記第１の導波管フィルタを構成する導波管の幅広面もしくは上記第２の導波管フィルタを構成する導波管の幅広面に隣接して配置され、上記第１の導波管フィルタ、上記第２の導波管フィルタ、上記第１のインピーダンス変成部、上記第２のインピーダンス変成部のいずれかに電磁結合された外部共振器と、
を備えたことを特徴とする導波管分波器。
【請求項９】
上記分岐部から見た上記第１の入出力導波管端面の方向と上記第２の入出力導波管端面の方向が同一方向となるように上記分岐部において折り曲げられ、
上記外部共振器が上記第１の導波管フィルタと上記第２の導波管フィルタの間の位置に配置されていることを特徴とする請求項８に記載の導波管分波器。
【請求項１０】
上記第２の導波管フィルタを構成する共振器の幅広面方向の高さと、第２の入出力導波管端面の幅広面方向の高さが同一であり、
上記第２のインピーダンス変成部を有さないことを特徴とする請求項９に記載の導波管分波器。
【発明の詳細な説明】
【技術分野】
【０００１】
この発明は、主としてＶＨＦ帯、ＵＨＦ帯、マイクロ波帯およびミリ波帯で用いられる導波管有極フィルタおよびそれを用いた導波管分波器に関するものである。
【背景技術】
【０００２】
特定の帯域（通過帯域）で信号を通過させ、特定の帯域（減衰帯域）で信号を減衰させるフィルタにおいて、通過帯域と減衰帯域が近接している場合に要求される急峻な減衰特性を実現するための構成のひとつに導波管有極フィルタがある。外部共振器をメインフィルタの共振器に結合させ、この外部共振器による減衰極を減衰帯域に作ることにより急峻な減衰特性を実現する（例えば、非特許文献１の図７、図８参照）。
【０００３】
従来の導波管有極フィルタの構成例を図１７に示す。図において１はメインフィルタ、２は外部共振器、４は入出力導波管端面、８は誘導性アイリス、９は外形である。図１７に示されるように、外部共振器２はメインフィルタ１と同一幅広面となるように、メインフィルタ１の側面方向に構成され、外部共振器２とメインフィルタ１の共振器とは誘導性アイリス８を用いて結合される。
【０００４】
このような構成で実現される通過と反射の特性を図１８に示す。通過帯域で信号が通過し、通過帯域外の減衰帯域で信号が減衰する特性となる。このとき外部共振器２による減衰極ができるため急峻な減衰特性を実現することが可能となる。
【先行技術文献】
【非特許文献】
【０００５】
【非特許文献１】J. R. Montejo-Garai, et al., "Synthesis and Design of In-Line N-Order Filters With N Real Transmission Zeros by Means of Extracted Poles Implemented in Low-Cost Rectangular H-Plane Waveguide", IEEE Transactions on Microwave Theory and Techniques, Vol. 53, No. 5, pp. 1636-1642, May 2005.
【発明の概要】
【発明が解決しようとする課題】
【０００６】
従来の導波管有極フィルタでは、メインフィルタ１と同一面上に外部共振器２が設けられるため、外部共振器２の分だけサイズが大きくなる。さらに一般的には外形９は入出力導波管面を含む直方体のブロックで構成される。このため、実際には通常のメインフィルタ１だけの構成に対し約２倍のサイズに大きくなってしまうという問題があった。
【０００７】
また、本来メインフィルタ１内の電磁界分布は管軸方向に垂直な面で左右対称（Ｅ面で対称）であるが、外部共振器２とメインフィルタ１が同一幅広面上に配置される場合、メインフィルタ１の側面に誘導性アイリス８などの結合部が設けられることになる。このため電磁界分布の対称性への影響が大きく、設計が容易ではないという問題もあった。
【０００８】
さらに、上記のように管軸方向に垂直な面で左右対称ではなくなるため、図１９に示すように、加工の際はＨ面分割による掘削とする必要があり、電流が大きく流れる部分で切断加工を行う必要がある。このため、電流が切断面の不連続性など製造誤差の影響を受けて、損失が大きくなるという問題もあった。
【０００９】
この発明は、上記のような課題を解決するためになされたもので、導波管有極フィルタにおける小型化と低損失化を目的とするものである。
【課題を解決するための手段】
【００１０】
この発明に係る導波管有極フィルタは、
導波管フィルタと、
上記導波管フィルタの管軸方向の両側に設けられたインピーダンス変成部と、
上記インピーダンス変成部のさらに管軸方向外側に設けられた入出力導波管端面と、
上記導波管フィルタを構成する導波管の幅広面に隣接して配置され、上記導波管フィルタもしくは上記インピーダンス変成部のいずれかに電磁結合された外部共振器と、
を備えたことを特徴とするものである。
【発明の効果】
【００１１】
この発明によれば、小型で低損失な導波管有極フィルタを得られるという効果がある。
【図面の簡単な説明】
【００１２】
【図１】この発明の実施の形態１による導波管有極フィルタを示す構成図
【図２】この発明の実施の形態１による導波管有極フィルタの断面を示す図
【図３】この発明の実施の形態１による導波管有極フィルタを示す構成図
【図４】この発明の実施の形態２による導波管有極フィルタを示す構成図
【図５】この発明の実施の形態２による導波管有極フィルタを示す構成図
【図６】この発明の実施の形態３による導波管有極フィルタを示す構成図
【図７】この発明の実施の形態４による導波管有極フィルタを示す構成図
【図８】この発明の実施の形態５による導波管有極フィルタを示す構成図
【図９】この発明の実施の形態６による導波管有極フィルタを示す構成図
【図１０】この発明の実施の形態７による導波管有極フィルタを示す構成図
【図１１】この発明の実施の形態８による導波管有極フィルタを示す構成図
【図１２】この発明の実施の形態９による導波管有極フィルタを示す構成図
【図１３】この発明の実施の形態１０による導波管有極フィルタを示す構成図
【図１４】この発明の実施の形態１１による導波管分波器を示す構成図
【図１５】この発明の実施の形態１２による導波管分波器を示す構成図
【図１６】この発明の実施の形態１３による導波管分波器を示す構成図
【図１７】従来の導波管有極フィルタを示す構成図
【図１８】導波管有極フィルタの特性を示す図
【図１９】従来の導波管有極フィルタの断面を示す図
【発明を実施するための形態】
【００１３】
実施の形態１．
図１はこの発明の実施の形態１に係わる導波管有極フィルタの構成を説明するための斜視図である。図１において、１は導波管フィルタであるメインフィルタ、２は外部共振器、３（３ａ、３ｂ）はインピーダンス変成部、４（４ａ、４ｂ）は入出力導波管端面である。
【００１４】
ここではメインフィルタ１はアイリス形の矩形導波管フィルタの場合を示している。矩形導波管では一般に、断面形状の長い方向（側面方向）の寸法をＡ寸法、短い方向（幅広面方向）の寸法をＢ寸法と呼ぶ。インピーダンス変成部３ａ、３ｂは入出力導波管端面４ａ、４ｂの高さとメインフィルタ１の高さとの中間の高さとなるＢ寸法で管軸方向にステップ状に設けられている。外部共振器２はメインフィルタ１の幅広面の上部に隣接して配置され、２つの入出力端面４の間の経路上のいずれかでメインフィルタ１もしくはインピーダンス変成部３ａ、３ｂに結合されるが、ここではインピーダンス変成部３ａに結合されている。またメインフィルタ１の底面（下方の幅広面）から外部共振器２の上面までの（幅広面方向の）高さは、入出力導波管端面４の高さと同等か、もしくはそれよりも低くなっている。
【００１５】
次に動作について説明する。入出力導波管端面４ａに信号が入力されると、信号はインピーダンス変成部３ａとメインフィルタ１とインピーダンス変成部３ｂを経由して入出力導波管端面４ｂに出力される。アイリス形の導波管フィルタの場合、特定の帯域で信号が通過し通過帯域外ではなだらかに減衰していく帯域通過特性となる。さらに２つの入出力端面４ａ、４ｂの間の経路上のいずれかで電磁結合された外部共振器２により、減衰極が作られる。このため急峻な減衰特性を実現することができる。なお、信号が入出力導波管端面４ｂから入力し入出力導波管端面４ａに出力される場合も、動作は同様である。
【００１６】
このとき、メインフィルタ１の高さは入出力導波管端面４ａ、４ｂの高さに比べ低くなっている。一般に高さが異なる導波管を接続するとインピーダンスステップが生じ、反射特性が劣化するが、ここではインピーダンス変成部３ａ、３ｂによりメインフィルタ１と導波管入出力端面４ａ、４ｂの間がインピーダンス変成されているため、反射特性の劣化が生じず、導波管入出力端面４ａ、４ｂを基準面として良好な反射特性が得られる。
【００１７】
さらに、外部共振器２が設けられたことにより、通過特性に外部共振器２による減衰極を作ることができる。このため通常の無極のフィルタと比較した場合に、少ない段数で急峻な減衰特性を得ることができる。インピーダンス変成部３ａ、３ｂの管方向の長さは、概ねインピーダンス変成部２個分で共振器１段分に相当する。このため、入出力導波管端面４ａ、４ｂの寸法が同じ場合、同様の減衰特性を得るのに要する無極のフィルタの段数に対し、段数を１段少なくできた場合で同等のサイズとなり、段数を２段以上少なくできる場合はさらにサイズ低減の効果が顕著となる。また、通常の無極フィルタに比べ約２倍のサイズとなる従来の有極フィルタに比べると、さらに小さいサイズで急峻な減衰特性を実現することができる。
【００１８】
また、外部共振器２はメインフィルタ１の幅広面の上部方向に設けられているため管軸方向に垂直な面（Ｅ面）での対称性が維持され、従来の有極フィルタに比べ設計が容易となり、良好な帯域通過特性が得られるという利点もある。ただし、必ずしも導波管有極フィルタをＥ面に対し完全に対称に形成する必要はない。
【００１９】
さらに、管軸方向に垂直な面で左右対称（側面方向で対称、あるいは、Ｅ面で対称）であるため、図２に示すようにＥ面分割での掘削による加工が可能となる。この切断面においては電流がほとんど流れない。このためＨ面分割による掘削が必要となる従来の有極フィルタに比べ低損失化できるという利点もある。ただし、掘削面を中心面からずらすことなどにより、必ずしもＥ面に対し対称に形成しなくてもＥ面分割での掘削加工が可能であることは明らかであり、このことからも、必ずしも導波管有極フィルタを対称に形成する必要はない。
【００２０】
なお、ここではメインフィルタ１の底面から外部共振器２の上面までの高さは入出力導波管端面４の高さよりも同等か低くしている場合について示したが、メインフィルタ１の高さを高くすれば、より低損失化することが可能となる。メインフィルタ１の底面から外部共振器２の上面までの高さが入出力導波管端面４の高さよりも高くなったとしても、外部共振器２をメインフィルタ１の高さ方向に配置しているため、導波管の幅広方向（側面方向）について従来の有極フィルタに比べて小型化にできる効果がある。
【００２１】
また、ここではメインフィルタ１が４段の場合について示したが、４段以外の段数でもよいことは言うまでもない。
【００２２】
さらに、ここではメインフィルタ１の幅広方向（側面方向）の大きさと外部共振器２の同方向の大きさとがほぼ同じものを図示したが、本発明はこれに限るものではない。
【００２３】
実施の形態２．
図３は発明の実施の形態２に係わる導波管有極フィルタの構成を説明するための側面図である。図３において、１から４は図１と同一であり、５は結合孔である。外部共振器２はインピーダンス変成部３と結合孔５を介して結合されている。本実施の形態によっても実施の形態１と同様の効果が得られる。
【００２４】
さらにステップ状のインピーダンス変成部３が設けられ、本インピーダンス変成部３と外部共振器２が結合されることで、メインフィルタ１と外部共振器２が直接結合されない構成が可能となる。これにより、メインフィルタ１によって得られる帯域通過特性への外部共振器２の影響を小さくでき、さらに設計が容易となるという利点もある。
【００２５】
すなわち、メインフィルタ１単独の通過特性や反射特性に対して、減衰極を生じさせる以外の外部共振器２の影響を少なくすることができる。
【００２６】
図４および図５は発明の実施の形態２に係わる導波管有極フィルタの結合孔５付近の拡大斜視図である。
図３の側面図では、図４の斜視図に示されるように、外部共振器２がインピーダンス変成部３の管軸方向に垂直な面と結合されている場合について示しているが、図５に示されるようにインピーダンス変成部３の幅広面で結合させてもよい。さらに、結合部については、インピーダンス変成部３の管軸方向の側面と外部共振器２の幅広面、インピーダンス変成部３の管軸方向の側面と外部共振器２の管軸方向の側面、インピーダンス変成部３の幅広面と外部共振器２の幅広面、インピーダンス変成部３の幅広面と外部共振器２の管軸方向の側面、あるいは両者にまたがる結合など、インピーダンス変成部３と外部共振器２を結合させることができる形状であれば、どのような形状であってもよい。
【００２７】
実施の形態３．
図６は発明の実施の形態３に係わる導波管有極フィルタの構成を説明するための側面図である。図６において、１から５は図３と同一である。外部共振器２はメインフィルタ１の１段目の共振器と結合されている。本実施の形態によっても実施の形態１と同様の効果が得られる。
【００２８】
さらに、外部共振器２はメインフィルタ１の幅広面で結合されることにより、インピーダンス変成部３と結合される場合と比べて広い面積で結合させることが可能となり、大きな結合が必要となる場合でも設計が容易となり、良好な減衰特性が得られるという利点がある。
【００２９】
なお、図では外部共振器２がメインフィルタの１段目の共振器と結合される場合について示しているが、２段目以降の共振器と結合されてもよい。
【００３０】
実施の形態４．
図７は発明の実施の形態４に係わる導波管有極フィルタの構成を説明するための側面図である。図７において、１から５は図３と同一である。２個の外部共振器２ａ、２ｂが結合孔５、５ｂを介して入力側と出力側のインピーダンス変成部３ａ、３ｂとそれぞれ結合されている。本実施の形態によっても実施の形態１と同様の効果が得られる。
【００３１】
さらに２個の外部共振器２ａ、２ｂが進行方向（導波管の管軸方向）の中心に対してほぼ対称に配置されたことにより、減衰極を２個作ることができ、より広帯域な減衰帯域が得られるとともに管軸方向の中心に対してほぼ対称となるため設計が容易であるという利点もある。
【００３２】
なお、２個の外部共振器２ａ、２ｂによる減衰極を異なる周波数とすることもできるが、同じ周波数に減衰極を作るようにすることもでき、この場合には、より大きな減衰量が得られることになる。
【００３３】
ここでは２個の外部共振器２ａ、２ｂがインピーダンス変成部３ａ、３ｂと結合される場合について示したが、２個の外部共振器２ａ、２ｂはメインフィルタ１の１段目と最終段に結合されてもよい。また、それ以外の段数の箇所に結合されてもよい。さらに、メインフィルタ１と結合される場合は、進行方向の中心に対して対称の位置に配置されてもよい。
【００３４】
実施の形態５．
図８は発明の実施の形態５に係わる導波管有極フィルタの構成を説明するための側面図である。図８において、１から５は図３と同一である。２個の外部共振器２ａ、２ｂが入力側と出力側のインピーダンス変成部３ａ、３ｂで結合され、１個の外部共振器２ｃがメインフィルタ１の３段目の共振器と結合されている。本実施の形態によっても実施の形態１と同様の効果が得られる。
【００３５】
さらに、３個の外部共振器２ａ、２ｂ、２ｃが設けられたことにより減衰極を３個作ることができ、より広帯域な減衰帯域が得られるという利点もある。
【００３６】
なお、ここでは外部共振器が３個設けられた場合について示したが、３個以上の複数個設けてもよい。その場合、減衰極は複数個でき、さらに広帯域な減衰特性が得られる。また、同じ周波数で減衰極を作るようにした場合は、より大きな減衰量が得られることになる。
【００３７】
実施の形態６．
図９は発明の実施の形態６に係わる導波管有極フィルタの構成を説明するための側面図である。図９において、１から５は図３と同一である。外部共振器２は高さがステップ状に変わっている構成となっている。また、本外部共振器２はメインフィルタ１と結合され、その先端はインピーダンス変成部３に向って互いのステップ形状が互いに干渉しないよう入れ子になるように配置されている。すなわち、外部共振器２は管軸方向の場所によって幅広面方向の高さが異なるステップ状に形成され、このうち幅広面方向の高さが大きい部分がメインフィルタ１の幅広面に隣接して配置され、幅広面方向の高さが小さい部分がインピーダンス変成部３ａの幅広面に隣接して配置されるようにしている。
本実施の形態によっても実施の形態１と同様の効果が得られる。
【００３８】
さらに、所望の周波数で減衰極を作るのに長い外部共振器が必要となる場合にインピーダンス変成部３ａ幅広面の上部の空間を利用でき、メインフィルタ１の段数が少ない場合でも全体の高さを高くすることなく外部共振器２を配置できるという利点もある。
【００３９】
実施の形態７．
図１０は発明の実施の形態７に係わる導波管有極フィルタの構成を説明するための側面図である。図１０において、１から５は図３と同一である。インピーダンス変成部３は２段のステップで構成されている。本実施の形態によっても実施の形態１と同様の効果が得られる。
【００４０】
さらに、インピーダンス変成部３を２段のステップ形状としていることにより、より広帯域なインピーダンス変成特性が得られ、広帯域な通過特性を実現できるという利点もある。
【００４１】
なお、ここでは２段の場合について示したがインピーダンス変成部を２段以上としてもよい。
【００４２】
実施の形態８．
図１１は発明の実施の形態８に係わる導波管有極フィルタの構成を説明するための側面図である。図１１において、１から５は図３と同一である。インピーダンス変成部３は２段のステップで構成され、さらに外部共振器２の高さも２段のステップで構成されている。また外部共振器２の高さとインピーダンス変成部３の高さは互いのステップ形状が互いに干渉しないよう入れ子になるように配置されている。本実施の形態によっても実施の形態１と同様の効果が得られる。
【００４３】
さらに、インピーダンス変成部３を２段としていることにより、より広帯域なインピーダンス変成特性が得られて広帯域な通過特性を実現でき、外部共振器の長さが長い場合でも所望の周波数に減衰極を作ることができるという利点もある。
【００４４】
なおここでは２段の場合について示したが外部共振器２とインピーダンス変成部３の互いのステップ形状が互いに干渉しないよう入れ子になる複数段の組み合わせでもよい。
【００４５】
実施の形態９．
図１２は発明の実施の形態９に係わる導波管有極フィルタの構成を説明するための側面図である。図１２において、１から５は図３と同一である。メインフィルタ１の共振器の高さは管軸方向に対して場所により異なる高さのものとなっている。本実施の形態によっても実施の形態１と同様の効果が得られる。
【００４６】
さらに、メインフィルタ１の共振器の高さが一部で高くなるようになっているため、より低損失化することができる利点もある。これは、一般に共振器の高さを高くした方が共振器の損失を少なくできるためである。
【００４７】
また、メインフィルタの共振器の高さを管軸方向の中心で対称となるように等、逐次変えた場合はインピーダンス変成機能を併せて持たせることができ、良好な反射特性が得られるという利点もある。
【００４８】
また、メインフィルタ１の共振器の高さが一定の場合に比べても、導波管有極フィルタ全体の高さを高くすることなく構成することができる。
【００４９】
実施の形態１０．
図１３は発明の実施の形態１０に係わる導波管有極フィルタの構成を説明するための側面図である。図１３において、１から５は図３と同一である。メインフィルタ１の高さは一部の共振器の高さがステップ状に変わって高くなっている。本実施の形態によっても実施の形態１と同様の効果が得られる。
【００５０】
さらに、ステップ状のインピーダンス変成部３が設けられることで良好な反射特性が得られるとともに、メインフィルタ１において高さの高い共振器をより多く配置できるため、より低損失化できるという利点もある。
【００５１】
実施の形態１１．
図１４は発明の実施の形態１１に係わる導波管有極フィルタを用いた導波管分波器の構成を説明するための側面図である。図１４において、１から５は図３と同一であり、６は分岐部、７は分岐部の入出力端面である。
図中、左側のメインフィルタ１ａは第１の導波管フィルタであり、右側のメインフィルタ１ｂは第２の導波管フィルタである。また、左側のインピーダンス変成部３ａは第１のインピーダンス変成部であり、右側のインピーダンス変成部３ｂは第２のインピーダンス変成部である。さらに、左側の入出力導波管端面４ａは第１の入出力導波管端面であり、右側の入出力導波管端面４ｂは第２の入出力導波管端面である。
【００５２】
入出力の一端が本実施の形態による導波管有極フィルタである導波管有極フィルタが管軸方向にほぼ対称に配置され、それぞれの一端が分岐部６を介して接続されている。また、それぞれの導波管有極フィルタは異なる周波数帯の信号を通過させるように設計されている。したがって分岐部６の入出力端面７に異なる周波数帯の信号が入力された場合にそれぞれの導波管有極フィルタから異なる周波数帯の信号を出力させることができる。
【００５３】
さらにメインフィルタ１の高さが低い端面同士が分岐部６で合成されて導波管フィルタと同じ導波管入出力端面７に戻されている。分岐部６における端面の大きさも設計要素とすることができ、設計が容易となり、良好な反射特性が得られるという利点がある。
【００５４】
なお、ここでは左右２個の導波管有極フィルタそれぞれに、外部共振器２ａ、２ｂが結合されているものを図示したが、外部共振器は少なくとも片側の導波管フィルタに結合されていれば良く、また外部共振器の数も図示したものに限るものではない。
【００５５】
実施の形態１２．
図１５は発明の実施の形態１２に係わる導波管有極フィルタを用いた導波管分波器の構成を説明するための側面図である。図１５において、１から７は図１４と同一である。
図中、上側のメインフィルタ１ａは第１の導波管フィルタであり、下側のメインフィルタ１ｂは第２の導波管フィルタである。また、上側左側のインピーダンス変成部３ａは第１のインピーダンス変成部であり、下側左側のインピーダンス変成部３ｃは第２のインピーダンス変成部である。さらに、上側の入出力導波管端面４ａは第１の入出力導波管端面であり、下側の入出力導波管端面４ｂは第２の入出力導波管端面である。
【００５６】
本実施の形態による導波管有極フィルタが高さ方向に配置され、分岐部６を介して接続されている。すなわち、分岐部６から見た第１の入出力導波管端面４ａの方向と第２の入出力導波管端面４ｂの方向が同一方向となるように、分岐部６において導波管分波器が折り曲げられている。またそれぞれの導波管有極フィルタは異なる周波数帯の信号を通過させるように設計されている。本実施の形態によっても実施の形態１１と同様の効果が得られる。
【００５７】
さらに、導波管有極フィルタが高さ方向に配置され、外部共振器２ａ、２ｂがそれぞれの導波管有極フィルタの間の空間の位置、すなわち不要空間に配置されている。このため、外部共振器２の高さを高くしても全体としての高さ方向が大きくならないという利点もある。
【００５８】
なお、外部共振器２は１つでも良く、また３つ以上あっても良い。
【００５９】
実施の形態１３．
図１６は発明の実施の形態１３に係わる導波管有極フィルタを用いた導波管分波器の構成を説明するための側面図である。図１６において、１から７は図１４と同一である。
図中、上側のメインフィルタ１ａは第１の導波管フィルタであり、下側のメインフィルタ１ｂは第２の導波管フィルタである。また、インピーダンス変成部３は第１のインピーダンス変成部である。さらに、上側の入出力導波管端面４ａは第１の入出力導波管端面であり、下側の入出力導波管端面４ｂは第２の入出力導波管端面である。
【００６０】
入出力の一端が本実施の形態による導波管有極フィルタの一部であるメインフィルタ１ａと、外部共振器２ｂが電磁界結合された通常の高さの導波管有極フィルタであるメインフィルタ１ｂとが高さ方向に配置され、分岐部６を介して接続されている。また、導波管有極フィルタと通常の高さの導波管有極フィルタは異なる周波数帯の信号を通過させるように設計されている。本実施の形態によっても実施の形態１１と同様の効果が得られる。
【００６１】
また、導波管有極フィルタ同士が高さ方向（幅広面方向）に並んで配置され、外部共振器２ａ、２ｂがそれぞれの導波管有極フィルタの間の空間の位置、すなわち不要空間に配置されている。このため、より低損失な特性が要求される帯域通過フィルタに、通常の高さの導波管有極フィルタであるメインフィルタ１ｂを適用しているにもかかわらず、全体としての高さ方向の大きさが大きくならないという利点もある。
【００６２】
なお、外部共振器２は１つでも良く、また３つ以上あっても良い。また、外部共振器２は、メインフィルタ１ａとメインフィルタ１ｂのどちらか一方のみに結合されていても良い。
【符号の説明】
【００６３】
１  メインフィルタ、２  外部共振器、３  インピーダンス変成部、４  入出力導波管端面、５  結合孔、６  分岐部、７  入出力端面、８  誘導性アイリス、９  外形
【図１】
2013143734.tif 000003
【図２】
2013143734.tif 000004
【図３】
2013143734.tif 000005
【図４】
2013143734.tif 000006
【図５】
2013143734.tif 000007
【図６】
2013143734.tif 000008
【図７】
2013143734.tif 000009
【図８】
2013143734.tif 000010
【図９】
2013143734.tif 000011
【図１０】
2013143734.tif 000012
【図１１】
2013143734.tif 000013
【図１２】
2013143734.tif 000014
【図１３】
2013143734.tif 000015
【図１４】
2013143734.tif 000016
【図１５】
2013143734.tif 000017
【図１６】
2013143734.tif 000018
【図１７】
2013143734.tif 000019
【図１８】
2013143734.tif 000020
【図１９】
2013143734.tif 000021